(57)【要約】【課題】液晶表示装置の画素間に格子状に設けられる遮光領域を目立たなくして、表示画像のざらつき感を軽減する。【解決手段】液晶を間に封入した２枚の基板のうち、観察側の基板に、各画素の表示可能領域又は遮光領域に対応してレンズ構造を設ける。このレンズ構造により、画素の表示可能領域を拡大表示させるか画素周囲の遮光領域を縮小表示することで、相対的に遮光領域の縮小表示を行い、表示画像のざらつき感を低減する。【選択図】図４
2006184877.tif 000002
【特許請求の範囲】
【請求項１】
２枚の基板間に液晶が封入された液晶表示装置であって、
前記基板のうち、観察側の基板に、各画素、または複数の画素を有する画素群に対応してレンズ構造が設けられ、前記レンズ構造により前記画素または画素群の表示可能領域を拡大表示することを特徴とする液晶表示装置。
【請求項２】
請求項１に記載の液晶表示装置において、
前記画素群は、当該液晶表示装置の水平走査方向に配列された複数の画素から構成されることを特徴とする液晶表示装置。
【請求項３】
請求項１又は請求項２に記載の液晶表示装置において、
前記レンズ構造は、凸レンズであり、前記表示可能領域に設けられていることを特徴とする液晶表示装置。
【請求項４】
請求項１〜請求項３のいずれか一項に記載の液晶表示装置において、
前記レンズ構造は、前記観察側の基板の前記液晶側の表面を選択的にエッチングし凹状面を形成し、該凹状面を該基板と異なる屈折率の層で覆って形成されている。
【請求項５】
請求項１〜請求項３のいずれか一項に記載の液晶表示装置において、
前記レンズ構造は、前記観察側の基板の前記観察側の表面を選択的にエッチングして形成した凸状面により構成されていることを特徴とする液晶表示装置。
【請求項６】
請求項１〜請求項５のいずれか一項に記載の液晶表示装置において、
前記レンズ構造は、前記各画素又は前記画素群の間隙に設けられている遮光領域を縮小表示する。
【請求項７】
請求項６に記載の液晶表示装置において、
前記レンズ構造は、前記観察側の基板の前記液晶側の表面を選択的にエッチングし凸状面を形成し、該凸状面を備える前記基板を、該基板と異なる屈折率の層で覆って形成されていることを特徴とする液晶表示装置。
【請求項８】
請求項６に記載の液晶表示装置において、
前記レンズ構造は、前記観察側の基板の前記観察側の表面を選択的にエッチングして形成した凹状面を用いて構成されていることを特徴とする液晶表示装置。
【請求項９】
２枚の基板間に液晶が封入された液晶表示装置であって、
前記基板のうち、観察側の基板に、隣接する画素の間隙に設けられている遮光領域に対応してレンズ構造が設けられ、該レンズ構造により前記遮光領域を縮小表示することを特徴とする液晶表示装置。
【請求項１０】
請求項９に記載の液晶表示装置において、
前記レンズ構造は、少なくとも水平走査方向に延びる前記遮光領域に対応して設けられていることを特徴とする液晶表示装置。
【請求項１１】
請求項９に記載の液晶表示装置において、
前記遮光領域に設けられた前記レンズ構造は、凹レンズであることを特徴とする液晶表示装置。
【請求項１２】
請求項９に記載の液晶表示装置において、
前記レンズ構造は、前記観察側の基板の前記液晶側の表面を選択的にエッチングし凸状面を形成し、該凸状面を備える前記基板を、該基板と異なる屈折率の層で覆って形成されていることを特徴とする液晶表示装置。
【請求項１３】
請求項９に記載の液晶表示装置において、
前記レンズ構造は、前記観察側の基板の前記観察側の表面を選択的にエッチングして形成した凸状面を用いて構成されていることを特徴とする液晶表示装置。
【発明の詳細な説明】
【技術分野】
【０００１】
本発明は、液晶表示装置の構造に関する。
【背景技術】
【０００２】
液晶表示装置は、２枚の基板間に封入された液晶の配向状態を、２枚の基板の液晶側にそれぞれ形成された電極によって形成される電界により制御し、基板および液晶を備えて構成される液晶セルから、外部に射出される光量を制御して表示を行う。この液晶セルは複数の画素を有し、例えばアクティブマトリクス型液晶表示装置では、一方の基板上に、画素毎に個別の画素電極を形成し、他方の基板には共通電極を形成し、画素電極ごとに印加する電圧を制御することで、画素毎の表示を行う。１画素は、一対の基板にそれぞれ形成された上記電極が液晶を挟んで対向した領域に構成される。アクティブマトリクス型液晶表示装置の場合、各画素における表示領域（光の射出可能な領域、表示可能な領域）は、上記画素電極の形成領域にほぼ相当する。但し、遮光性の画素部材や、スイッチ素子などが画素電極形成領域と重なる場合には、これらと重なる領域は非表示領域となる。隣接画素同士の間隙には、隣接画素間での光漏れなどを防止するため、いわゆるブラックマトリクス（ＢＭ）と呼ばれる遮光層により遮光領域が形成されている。この遮光領域には、アクティブマトリクス型液晶表示装置の場合には、各画素に信号を供給する配線や、上記のようにスイッチ素子が形成されている。
【発明の開示】
【発明が解決しようとする課題】
【０００３】
通常、その形成領域が、非発光領域となる配線やスイッチ素子などの面積の削減には、それらの能力確保等の観点から制約がある。また、隣接画素同士の光漏れ防止の観点からも、隣接画素間の遮光領域（非表示領域）は、ある程度以上には、狭くすることができない。
【０００４】
したがって、小型（小面積）液晶表示装置においては、相対的に１画素あたりの非表示領域が大きくなる。つまり、隣接画素同士の間隙割合が表示領域に対して大きくなり、非表示領域が目立ち、表示された画像がざらついているように感じられるようになる。特に、ビデオカメラなどの電子ビューファインダ（ＥＶＦ）や、プロジェクタなどに用いられる液晶表示装置においては、小型液晶パネルの表示画像をレンズ系で拡大して得た像を観察するため、遮光領域が表示領域と共に拡大され、その存在が目立ち、画質を低下させる原因となっている。
【０００５】
本発明は、遮光領域の画質への悪影響を低減する。
【課題を解決するための手段】
【０００６】
本発明にかかる液晶表示装置は、観察の基板側に、各画素、または複数の画素を有する画素群に対応してレンズ構造が設けられ、前記レンズ構造により前記画素または画素群の表示可能領域を拡大表示する。
【０００７】
これにより、相対的に表示可能領域の周囲の遮光領域を相対的に小さく認識させることを可能としている。
【０００８】
また、本発明の他の態様に係る液晶表示装置は、観察側の基板側に、隣接する画素の間隙を覆うように設けられている遮光領域に対応してレンズ構造が設けられ、該レンズ構造により前記遮光領域を縮小表示する。
【発明の効果】
【０００９】
以上のようなレンズ構造により、本発明では、遮光領域を相対的に目立たなくし、画像ざらつき感の低減を可能とする。
【発明を実施するための最良の形態】
【００１０】
以下、本発明の実施形態を、図面に従って説明する。図１は、液晶表示装置（以下ＬＣＤと記す）１０のパネル構成を概念的に示す図である。ＬＣＤ１０は、各画素に表示素子として液晶を用いた表示装置であり、例えばガラスなどの透明基板よりなる２枚の基板１２，１４の間に液晶が封入され液晶層１６を形成して構成される。以下、図中下側の基板を第１基板１２、上側の基板を第２基板１４と記す。
【００１１】
第１基板１２の液晶層１６側の面には、アクティブマトリクス型ＬＣＤの場合、画素毎に個別の透明の画素電極１８が形成され、かつ、この画素電極１８に不図示の画素トランジスタ等が接続されている。第２基板１４の液晶側の面には、例えば赤、緑、青用にそれぞれ色フィルタ２０が形成され、さらにこの色フィルタ２０の上に透明の共通電極２２が配置される。個々の色フィルタ２０は、画素電極１８に対向する位置に配置されており、画素電極１８の形成領域に応じた領域が、各画素の表示領域とほぼ一致する。
【００１２】
また、第２基板１４上の各画素の境界領域には遮光層２４が形成されている。具体的には、遮光層２４は、隣接画素電極１８の間隙に対応する領域、したがって画素毎に形成されている色フィルタ２０の境界部分に配置され、ＬＣＤパネル全体としては、図２に示されるように格子状のパターンを有する。２枚の基板１２，１４それぞれの外側の面には、直線偏光板２６，２８が、互いの偏光軸が直交するように配置される。また、基板１２，１４の液晶との接触面にはそれぞれ、図示しないが、画素電極１８，共通電極２２を覆って、配向膜が形成されている。さらに、本実施形態では、後述するように、第１，第２基板１２，１４の内の観察側基板となる基板（ここでは第２基板１４）の表面には、マトリクス状に設けられた複数の画素を備える表示部の表示可能領域を拡大表示し、逆に、遮光領域（非表示領域）を縮小表示するためのレンズ構造が設けられている。
【００１３】
液晶層１６に、負の誘電率異方性を備えた垂直配向型の液晶を用いた場合、液晶分子の長軸方向は、電極１８，２２間に電圧を印加していない状態で、基板平面に垂直（平面の法線方向に平行）に配向する。電極間に印加される電圧が高いほど液晶分子が、その長軸が基板平面に平行な方角に沿うように倒れる。電圧の印加されていない状態では、液晶が垂直に配向しており、この状態で液晶層１６を通過する光は、複屈折を起こさない。したがって、光源３０より入射し、第１直線偏光板２６を通過して直線偏光となった光は、液晶層１６で複屈折を起こさず、そのままの偏光状態で第２直線偏光板２８に達する。第２直線偏光板２８の偏光軸は、到達した光の偏光軸と直交しているため、光は通過できず、この画素は最低輝度、すなわち「黒」を表示することになる。
【００１４】
電極１８，２２間に電圧が印加されている場合、印加電圧に応じて液晶の配向が基板法線方向から傾き、第１直線偏光板２６を通過して液晶層１６に入射した直線偏光は、液晶層１６で複屈折を受ける。光は、液晶層１６を進むに従って、直線偏光から楕円偏光を経て円偏光に、さらに先の楕円と長軸の方向が９０°異なる楕円偏光、そして直線偏光に変化する。液晶分子が完全に傾いたとき、すなわちその長軸が基板平面に平行となったときに、入射時と直交する偏光面を有する直線偏光となるように液晶層１６の厚さが決定されている。この直線偏光は、第２直線偏光板２８を通過することができ、この画素は、最高輝度（白）を表示する。なお、色フィルタ２０を通過して外部に射出される光は、色フィルタの色に応じた色となる。液晶の配向が中間的な値をとる場合には、液晶層１６を通過した光は、楕円偏光または円偏光となっており、第２直線偏光板２８を通過できるのは、この偏光板の偏光軸成分のみとなる。したがって、この画素は中間的な輝度となる。
【００１５】
液晶層には、ＴＮ（Twisted Nematic）液晶を用いることもできる。ＴＮ液晶を用いた場合、これを挟む基板の液晶に接触する面には、ラビング処理された配向膜が設けられている。電極間に電圧を印加しない状態で、正の誘電率異方性を有するＴＮ液晶は、その分子の長軸が、配向膜のラビング方向に沿うように初期配向する。２枚の基板のラビング方向は、直交するように配置されており、これにより、液晶分子は基板間でねじれて配向する。すなわち、一方の基板に近接する液晶分子は長軸がその基板のラビング方向に沿うように配向し、その基板から離れるに従って、長軸の方向は、もう一方の基板のラビング方向に近づくようにねじれていく。電極間に電圧を印加すると、液晶分子は、基板に垂直となるように起きあがりねじれ配向状態が解消する。
【００１６】
電極間に電圧を印加していない場合、液晶層に入射した直線偏光はねじれ配向された液晶分子により偏光面が９０°ねじられて、出射側の偏光板を透過するようになる。この結果、この画素は、最高輝度を表示する。電極間に電圧を印加して液晶分子のねじれ配向が完全に解消されると、入射した直線偏光の偏光面は液晶層による影響を受けず、この結果出射側の偏光板を通過せず、この画素は最低輝度を表示する。印加する電圧を制御することで、入射光の偏光面のねじれ角を調整することができ、これにより中間輝度を表示することができる。
【００１７】
次に、レンズ構造について説明する。図３及び図４は、観察側の基板（ここでは第２基板１４）およびこれに隣接して設けられたレンズ構造を示す。このレンズ構造３２は、ガラス製の第２基板１４と、ガラスより屈折率の高い透明材料、例えばアクリル系の有機材料のレンズ部材３４とを備える。具体的には、第２基板の液晶層側の面にエッチングにより凹部が形成されている。第２基板１４の表面にはこの凹部を埋めるように液晶層側の表面が平坦なレンズ部材３４が配置される。さらに、この表面の平坦なレンズ部材３４の上に、遮光層２４及び各色の色フィルタ２０が形成され、さらに図４では省略しているが、色フィルタ２０の上には、共通電極、配向膜が形成されている。このような構成において、液晶層から配向膜、共通電極、色フィルタ２０を透過してレンズ部材３４に入射した光に対し、該レンズ部材３４が第２基板１４の凹部を埋める部分が凸レンズ３８として機能する。この凸レンズ３８は、図３，４の例では、１画素３６に対して１つ対応するように形成されている。
【００１８】
ここで、レンズ部材３４は、第２基板１４の液晶側面と、遮光層２４および色フィルタ２０との距離をとるために、所定の厚さを有している。つまり、レンズ部材３４の平坦表面から基板１４との界面までの光路長が、遮光層２４が形成された遮光領域を縮小し、表示可能領域を拡大するためのレンズ機能をこのレンズ部材３４と基板１４とで十分に発揮させるために要求される光路長になるようにレンズ部材３４は、その厚さが設定されている。
【００１９】
図４に示すように、凸レンズ３８は、対応する画素の表示可能領域からの光束を拡大し、相対的に遮光層２４の形成領域（遮光領域、非表示領域）を縮小するように作用する。したがって、観察者が実際に視認するイメージは、図５に示すように、虚像の画素３６ｖが、一点鎖線で示す元の画素３６より大きく、逆に虚像の遮光領域２４ｖの幅は細く観察される。これにより、遮光層２４が形成された遮光領域が目立たなくなり、表示画像のざらつき感が低減または解消される。
【００２０】
図６は、レンズ構造の他の例を示す図である。レンズ構造４０は、第２基板１４の、観察側の表面形状として設けられる。つまり、第２基板１４の観察側の表面には、凸レンズ４２が形成されている。この凸形状は、第２基板１４を構成するガラスをエッチングすることにより得ることができる。第２基板１４の平坦な表面に上記アクリル樹脂などの有機樹脂材料を用いて凸レンズを形成してもよい。なお、第２基板１４の観察面側には、図１と同様、偏光板２８が設けられている。ガラス基板より屈折率の低い接着剤を用いて基板１４の観察面側の凹凸形状に沿って確実にこの偏光板２８を接着可能な場合には、直接凹凸の形成された面に接着する。接着剤だけでは凹凸面に沿って十分な接着ができない場合には、例えばガラス基板より屈折率の低いアクリル樹脂などを基板１４の観察面側の凹凸を埋めるように基板１４の観察面上に形成し、平坦化された表面に偏光板２８を接着しても良い。
【００２１】
図７および図８は、他の実施形態を示す図である。この実施形態のレンズ構造４４は、液晶側の表面の遮光領域に凹部が形成された第２基板１４と、ガラスより屈折率の低い透明材料、例えばアクリル系の有機材料のレンズ部材４６から構成される。第２基板１４の遮光領域（遮光層２４）に対応する位置において、その液晶層側の面をエッチングして凹部を形成し、この凹部を埋めるようにレンズ部材４６を形成している。第２基板１４に形成された凹部が柱状の凹レンズ４８となり、この凹レンズ４８は遮光層２４に対向して配置される。凹レンズ４８の存在によっても、図５に示すように、遮光層２４の形成された遮光領域を、その幅が実際より狭くなるように見せ、目立たなくすることができる。
【００２２】
また、レンズ構造は、第２基板１４の観察側の面を加工して凹レンズを形成して得てもよい。具体的には、第２基板１４の観察側表面を、遮光領域に対応する位置に選択的に凸部が形成されるようにエッチングすることで得ることができる。なお、この場合には、第２基板１４の液晶層側の面は平坦であるから、図８のレンズ部材４６は不要である。
【００２３】
図９は、レンズ構造のさらに他の実施形態を示す図である。このレンズ構造は、画素毎のレンズではなく、表示パネルの水平走査方向（図において横方向、以下水平方向と記す）に配列された複数の画素３６に対向して共通して配置された柱状の凸レンズ５０によって構成されている。柱状凸レンズ５０は、図３，４の構造と同様、第２基板１４の液晶側の表面をエッチングし、ガラスより屈折率の高い有機材料からなるレンズ部材を組み合わせることで形成することができる。また、図６に示すように、第２基板の観察側の面を水平方向に並ぶ画素領域に対応して柱状凸レンズとなるようにエッチング加工して形成してもよい。
【００２４】
表示パネルにおいて、各画素の水平方向の間隙が大きいと目立ち表示品質に悪影響を及ぼすため、できる限り水平方向における画素の間隙は狭く設計されている。一方で、各画素に薄膜トランジスタ（ＴＦＴ）を備えるようなアクティブマトリクス型ＬＣＤの場合、このＴＦＴや、画素毎に表示するデータを保持するための保持容量などを１画素領域内に設ける必要がある。そして、これらの回路素子は、配線に接続する必要があることから、垂直走査方向（以下、垂直方向）における画素の間隙（遮光領域）を水平方向の間隙に対して広くとって、配置することが多い。従って、複数の画素の間隙を遮光するためマトリクス状にパターニングされた遮光層２４の水平方向のラインの方が垂直方向のラインの幅よりも太く形成されて、水平方向に延びる遮光領域のほうが垂直方向に延びる遮光領域より目立つ。
【００２５】
したがって、水平走査方向と垂直走査方向（以下、垂直方向と記す）のいずれかの遮光層に対策を行うとすれば、水平方向に延びる遮光領域に対策する方が効果が高い。よって、この実施形態では、画素の表示領域に沿って水平方向に延びる柱状の凸レンズを形成している。
【００２６】
この柱状の凸レンズ５０により、画素３６は、垂直方向に拡大されて認識され、その分、垂直方向の画素間隙位置において水平方向に延びる遮光領域の幅が狭く認識される。これにより、ざらつき感の軽減が図られる。
【００２７】
図１０は、レンズ構造のさらに他の実施形態を示す図である。このレンズ構造は、図９と同様に、水平方向に延びる遮光層２４によって形成される遮光領域を細く見せるものであるが、この水平方向の遮光領域に対応して遮層柱状の凹レンズ５２を採用している点が異なる。凹レンズ５２は、図７，８に記載した構成と同様、第２基板１４の液晶側の表面をエッチングし、ガラスより屈折率の低い有機材料からなるレンズ部材を基板１４の液晶表面側に形成することで、実現できる。また、図６に示すように第２基板の観察側の面を加工して形成することもできる。この実施形態では、水平方向に延びる遮光層２４を幅方向（垂直方向）に縮小し、細く見せる。これにより、ざらつき感が軽減される。なお、図１０に示すように水平方向に延びる遮光領域に対応して柱状凹レンズ５２を設けると共に、水平方向に並ぶ画素の表示領域には図９に示すように柱状凸レンズ５０を設けることで、さらに確実に、水平方向の画素領域を拡大表示し、水平方向の遮光領域を縮小表示することができる。
【００２８】
図１１は、画素が行ごとに半ピッチずれて配置される、いわゆるデルタ配置の表示装置の例である。赤、緑、青の画素３６には、それぞれｒ，ｇ，ｂの添え字を付して示している。図１２は、図１１のデルタ配置の表示装置に対応したレンズ構造の実施形態である。それぞれ一つの赤、緑、青の画素で構成される表示制御上の１画素（１カラー表示単位）に対し、一つの凸レンズ５４が対応して配置されている。この実施形態の場合も、図３，４と同様に、第２基板１４の液晶層１６側の面にレンズを配置してもよいし、観察側の面に配置してもよい。また、赤、緑、青で構成される１カラー表示単位の周囲の遮光領域に対応して凹レンズを配置しても、ほぼ同様の効果を得ることができる。
【００２９】
また、デルタ配列であっても水平方向に延びる遮光領域の方が、垂直方向の遮光領域より幅が広いので、遮光領域を狭く見せる方が効果が高いのは、図９や図１０の実施形態の同様、水平方向に沿ってレンズを設けることである。よって、図９，図１０と同様に柱状の凸レンズ、凹レンズを設けることもできる。
【００３０】
図１３は、レンズ構造を有した第２基板１４の製造工程を示す図である。まず、ガラス基板６０にマスク６２を形成し、エッチングを行い、凹部６４を形成する（図１３（ａ））。次にこの凹部６４の形成面上にガラスの屈折率（約１．５２）より大きな屈折率（約１．６）の例えば上述のアクリル樹脂などの有機材料６６を形成することで、凹部６４を埋める（図１３（ｂ））。さらに凹部６４を埋めた有機材料と同じ有機材料６６で基板１４の表面をコートし、所定の厚さの有機材料６６の層を形成する（図１３（ｃ））。この有機材料６６の層が、例えば図４のレンズ部材３４となり、この例では、ガラス基板に形成された凹部６４を埋めた部分が凸レンズ３８として機能する。また、ガラス基板６０は、第２基板１４として用いられる。レンズ部材３４の凸部と反対側の表面は平坦となり、この平坦面の上には、遮光領域に応じたパターンの遮光層２４、色フィルタ２０、共通透明電極２２、図示しない配向膜を形成して、観察側の基板が完成する（図１３（ｄ））。
【００３１】
この製造方法によれば、凸レンズ３８と、遮光層２４がガラス基板６０の同じ面に形成されるので、ガラス基板の観察面側表面をエッチングし、液晶層側表面に遮光層２４等を形成する方法と比較して、高い位置合わせ精度を得ることができる。
【００３２】
以上の各実施形態によれば、見かけ上の開口率が向上し、かつ、画質のざらつき感を低減し、表示品質の向上を図ることができる。
【００３３】
なお、上述の実施形態において、第２基板１４側に形成される遮光層２４のパターンに沿ってレンズ構造を設ける例について説明したが、もちろん第２基板１４側の遮光層２４のパターンに限らず、表示パネルの遮光領域全体のパターンに応じてレンズ構造を設けることがより好適である。例えば、遮光層２４は、第２基板１４側だけでなく、第１基板側にも形成されることがあり、この場合、第１基板側の遮光層のパターンも考慮することがより好適である。第１基板側の遮光層もＬＣＤの表示光源（特にパネル後方に配置されるバックライト）からの光を遮り、遮光領域として視認されるからである。
【００３４】
また、遮光層が第１基板１２側にのみ形成されている場合にも、この遮光層による遮光領域のパターンに応じてレンズ構造を設けることもでき、そのレンズ構造は、観察側となる基板に設けることが好適である。
【００３５】
また、一方の基板に水平方向に延びるストライプ状の電極、他方の基板に一方の基板の電極と交差する方向に延びるストライプ状の電極が形成される、いわゆるパッシブマトリクス型ＬＣＤの場合など、水平方向に延びる遮光層と、垂直方向の遮光層を電極の延在方向に応じてそれぞれ異なる基板に形成しても良い。この場合においても、レンズ構造は、観察側の基板側に設けることが好適である。
【００３６】
また、上述の実施形態において、第２基板１４上に色フィルタを配置する構成を示したが、第１基板１２上に色フィルタを配置した構成においても、レンズ構造の採用して同様の効果を得ることができる。
【図面の簡単な説明】
【００３７】
【図１】液晶表示装置の基本構成を示す断面図である。
【図２】遮光領域のパターンを示す平面図である。
【図３】本発明の実施形態に係るレンズ構造を示す平面図である。
【図４】図３のレンズ構造の断面図である。
【図５】レンズ構造を有する液晶表示装置の表示の様子を示す図である。
【図６】本発明の他の実施形態に係るレンズ構造を示す断面図である。
【図７】本発明の他の実施形態に係るレンズ構造を示す平面図である。
【図８】図７のレンズ構造の断面の一例を示す図である。
【図９】本発明の他の実施形態に係るレンズ構造の平面図である。
【図１０】本発明の他の実施形態に係るレンズ構造の平面図である。
【図１１】デルタ配置の画素及び遮光領域パターンの例を示す図である。
【図１２】デルタ配置の画素パターンに適用されたレンズ構造の平面図である。
【図１３】レンズ構造の製造方法の一例を示す図である。
【符号の説明】
【００３８】
１０  液晶表示装置（ＬＣＤ）、１２  第１基板、１４  第２基板、１６  液晶層、２４  遮光層、３２，４０，４４  レンズ構造、３４  レンズ部材、３６  画素、３８，４２  凸レンズ、４８  凹レンズ。
【図１】
2006184877.tif 000003
【図２】
2006184877.tif 000004
【図３】
2006184877.tif 000005
【図４】
2006184877.tif 000006
【図５】
2006184877.tif 000007
【図６】
2006184877.tif 000008
【図７】
2006184877.tif 000009
【図８】
2006184877.tif 000010
【図９】
2006184877.tif 000011
【図１０】
2006184877.tif 000012
【図１１】
2006184877.tif 000013
【図１２】
2006184877.tif 000014
【図１３】
2006184877.tif 000015